(57)【要約】【課題】連続撮影の連写タイミングに関して、異なる時間間隔を簡単に設定できるようにする。【解決手段】撮像部に連続撮影を行わせる際の連写タイミングを設定するタイミングチャート４１を表示部１８に表示させる表示制御部と、表示部１８に表示されたタイミングチャート４１に対する操作を検出する操作検出部と、連続撮影をタイミングチャート４１に基づき制御する連写制御部とを備え、連写制御部は、タイミングチャート４１に対する操作に応じて当該タイミングチャート４１の形状を変化させるように、当該操作に応じてタイミングチャート４１の形状を設定し、設定された当該タイミングチャート４１の形状に応じて連続撮影の時間間隔が段階的に変化するよう、当該時間間隔を一括して設定するようにした。【選択図】        図４
2010141582.tif 000002
【特許請求の範囲】
【請求項１】
画像を撮影する撮像部と、
画像を表示する表示部と、
前記撮像部に連続撮影を行わせる際の連写タイミングを設定するタイミングチャートを、前記表示部に表示させる表示制御部と、
前記表示部に表示された前記タイミングチャートに対する操作を検出する操作検出部と、
前記連続撮影を前記タイミングチャートに基づき制御する連写制御部と、
を備え、
前記連写制御部は、前記タイミングチャートに対する操作に応じて当該タイミングチャートの形状を変化させるように、当該操作に応じて前記タイミングチャートの形状を設定し、設定された当該タイミングチャートの形状に応じて前記連続撮影の時間間隔が段階的に変化するよう、当該時間間隔を一括して設定し、
前記表示制御部は、前記設定された時間間隔が表示された前記タイミングチャートを前記表示部に表示させることを特徴とするカメラ。
【請求項２】
前記表示部に重ねて配設されたタッチパネルをさらに備え、
前記操作検出部は、前記タッチパネルを介して前記タイミングチャートへの操作を検出することを特徴とする請求項１に記載のカメラ。
【請求項３】
前記表示制御部は、前記タイミングチャートに、連続撮影の時間軸を表わすコントロールラインを含み、
前記連写制御部は、前記コントロールラインに交差する方向への操作により前記タイミングチャートの形状を曲線状に変化させて表示させ、当該曲線の傾きに応じて前記連続撮影の時間間隔を設定することを特徴とする請求項２に記載のカメラ。
【請求項４】
前記表示制御部は、前記タイミングチャートとして、連続撮影の時間軸を表わすコントロールラインと該コントロールラインに沿って前記連続撮影の時間間隔を示すよう並べて配置される複数のタイミングマークとを含むことを特徴とする請求項２に記載のカメラ。
【請求項５】
前記連写制御部は、前記タイミングチャートの変化する各形状に対応する前記連続撮影の時間間隔のパターンが予め記憶されたテーブルに基づき、当該タイミングチャートの変化した形状に応じた前記連続撮影の時間間隔を一括して設定することを特徴とする請求項１に記載のカメラ。
【請求項６】
画像を撮影する撮像部と、画像を表示する表示部と、を有するカメラの連写タイミング設定方法であって、
前記撮像部に連続撮影を行わせる際の連写タイミングを設定するタイミングチャートを、前記表示部に表示させる表示制御ステップと、
前記表示部に表示された前記タイミングチャートに対する操作を検出する操作検出ステップと、
前記連続撮影を前記タイミングチャートに基づき制御する連写制御ステップと、
を含み、
前記連写制御ステップは、前記タイミングチャートに対する操作に応じて当該タイミングチャートの形状を変化させるように、当該操作に応じて前記タイミングチャートの形状を設定し、設定された当該タイミングチャートの形状に応じて前記連続撮影の時間間隔が段階的に変化するよう、当該時間間隔を一括して設定し、
前記表示制御ステップは、前記設定された時間間隔が表示された前記タイミングチャートを前記表示部に表示させるようにしたことを特徴とするカメラの連写タイミング設定方法。
【請求項７】
画像を撮影する撮像部と、画像を表示する表示部とを有するカメラが備えるコンピュータに、
前記撮像部に連続撮影を行わせる際の連写タイミングを設定するタイミングチャートを、前記表示部に表示させる表示制御機能と、
前記表示部に表示された前記タイミングチャートに対する操作を検出する操作検出機能と、
前記連続撮影を前記タイミングチャートに基づき制御する連写制御機能と、
を実行させ、
前記表示制御機能は、前記タイミングチャートに対する操作に応じて当該タイミングチャートの形状を変化させるように、当該操作に応じて前記タイミングチャートの形状を設定し、設定された当該タイミングチャートの形状に応じて前記連続撮影の時間間隔が段階的に変化するよう、当該時間間隔を一括して設定し、
前記表示制御機能は、前記設定された時間間隔が表示された前記タイミングチャートを前記表示部に表示させることを特徴とする連写タイミング設定用プログラム。
【発明の詳細な説明】
【技術分野】
【０００１】
本発明は、カメラ、連写タイミング設定方法および連写タイミング設定用プログラムに関するものである。
【背景技術】
【０００２】
カメラでは１回のシャッタ操作で１回の撮影が実行されるのが普通であるが、スポーツを始めとする動く被写体を撮影する際、あるいは動きの少ない被写体でもベストな画像を得たい場合には、シャッタを押している間中連続して撮影が実行される、いわゆる連写モード撮影が広く用いられる。また、デジタルカメラの記録媒体の容量増加によって、記録可能な枚数も増加したことにより、連写モード撮影がより手軽に利用しやすい環境になっている。
【０００３】
そして、連写モードも、連続撮影の時間間隔（連写タイミング）が一律なものだけではなく、一連の連続撮影の中でバリエーションを設けることができると、連続撮影も面白く使えるようになる。例えば、最初は撮影間隔がゆっくりで、後半になると撮影間隔が短くなるような撮影ができれば、スイングの撮影時に有効である。このような連写タイミングの設定が可能なカメラとして、例えば、時間間隔設定ボタンを押して時間間隔を予めプログラムできるカメラが提案されている（例えば、特許文献１参照）。
【０００４】
【特許文献１】特開２０００−１３８８６１号公報
【発明の開示】
【発明が解決しようとする課題】
【０００５】
連写モードによる連続撮影においては、同一の時間間隔で撮影するばかりでなく、例えば上述のように、撮影の最初と最後で異なる時間間隔で撮影できると、連写撮影も利用の幅が広がる。しかし、特許文献１の場合の如く、一連の連続撮影の時間間隔を、一つ一つ入力しなければならないとすると、その手間は大変である。よって、連写タイミングに関して異なる時間間隔を簡単に設定できるようにすることが課題となっている。
【０００６】
本発明は、上記に鑑みてなされたものであって、連続撮影の連写タイミングに関して、異なる時間間隔を簡単に設定できるカメラ、連写タイミング設定方法および連写タイミング設定用プログラムを提供することを目的とする。
【課題を解決するための手段】
【０００７】
上述した課題を解決し、目的を達成するために、本発明にかかるカメラは、画像を撮影する撮像部と、画像を表示する表示部と、前記撮像部に連続撮影を行わせる際の連写タイミングを設定するタイミングチャートを、前記表示部に表示させる表示制御部と、前記表示部に表示された前記タイミングチャートに対する操作を検出する操作検出部と、前記連続撮影を前記タイミングチャートに基づき制御する連写制御部と、を備え、前記連写制御部は、前記タイミングチャートに対する操作に応じて当該タイミングチャートの形状を変化させるように、当該操作に応じて前記タイミングチャートの形状を設定し、設定された当該タイミングチャートの形状に応じて前記連続撮影の時間間隔が段階的に変化するよう、当該時間間隔を一括して設定し、前記表示制御部は、前記設定された時間間隔が表示された前記タイミングチャートを前記表示部に表示させることを特徴とする。
【０００８】
また、本発明にかかるカメラは、上記発明において、前記表示部に重ねて配設されたタッチパネルをさらに備え、前記操作検出部は、前記タッチパネルを介して前記タイミングチャートへの操作を検出することを特徴とする。
【０００９】
また、本発明にかかるカメラは、上記発明において、前記表示制御部は、前記タイミングチャートに、連続撮影の時間軸を表わすコントロールラインを含み、前記連写制御部は、前記コントロールラインに交差する方向への操作により前記タイミングチャートの形状を曲線状に変化させて表示させ、当該曲線の傾きに応じて前記連続撮影の時間間隔を設定することを特徴とする。
【００１０】
また、本発明にかかるカメラは、上記発明において、前記表示制御部は、前記タイミングチャートとして、連続撮影の時間軸を表わすコントロールラインと該コントロールラインに沿って前記連続撮影の時間間隔を示すよう並べて配置される複数のタイミングマークとを含むことを特徴とする。
【００１１】
また、本発明にかかるカメラは、上記発明において、前記連写制御部は、前記タイミングチャートの変化する各形状に対応する前記連続撮影の時間間隔のパターンが予め記憶されたテーブルに基づき、当該タイミングチャートの変化した形状に応じた前記連続撮影の時間間隔を一括して設定することを特徴とする。
【００１２】
また、本発明にかかるカメラの連写タイミング設定方法は、画像を撮影する撮像部と、画像を表示する表示部と、を有するカメラの連写タイミング設定方法であって、前記撮像部に連続撮影を行わせる際の連写タイミングを設定するタイミングチャートを、前記表示部に表示させる表示制御ステップと、前記表示部に表示された前記タイミングチャートに対する操作を検出する操作検出ステップと、前記連続撮影を前記タイミングチャートに基づき制御する連写制御ステップと、を含み、前記連写制御ステップは、前記タイミングチャートに対する操作に応じて当該タイミングチャートの形状を変化させるように、当該操作に応じて前記タイミングチャートの形状を設定し、設定された当該タイミングチャートの形状に応じて前記連続撮影の時間間隔が段階的に変化するよう、当該時間間隔を一括して設定し、前記表示制御ステップは、前記設定された時間間隔が表示された前記タイミングチャートを前記表示部に表示させるようにしたことを特徴とする。
【００１３】
また、本発明にかかる連写タイミング設定用プログラムは、画像を撮影する撮像部と、画像を表示する表示部とを有するカメラが備えるコンピュータに、前記撮像部に連続撮影を行わせる際の連写タイミングを設定するタイミングチャートを、前記表示部に表示させる表示制御機能と、前記表示部に表示された前記タイミングチャートに対する操作を検出する操作検出機能と、前記連続撮影を前記タイミングチャートに基づき制御する連写制御機能と、を実行させ、前記表示制御機能は、前記タイミングチャートに対する操作に応じて当該タイミングチャートの形状を変化させるように、当該操作に応じて前記タイミングチャートの形状を設定し、設定された当該タイミングチャートの形状に応じて前記連続撮影の時間間隔が段階的に変化するよう、当該時間間隔を一括して設定し、前記表示制御機能は、前記設定された時間間隔が表示された前記タイミングチャートを前記表示部に表示させることを特徴とする。
【発明の効果】
【００１４】
本発明によれば、連続撮影の連写タイミングに関して、異なる時間間隔を簡単に設定できるカメラ、連写タイミング設定方法および連写タイミング設定用プログラムを提供することができる。
【発明を実施するための最良の形態】
【００１５】
以下、図面を参照して、本発明のカメラ、連写タイミング設定方法および連写タイミング設定用プログラムを実施するための最良の形態について説明する。
【００１６】
図１は、本発明のカメラであるデジタルカメラの概略構成例を示す背面図である。本実施の形態のデジタルカメラ１は、カメラ本体の上面に配設されたレリーズボタン１３ａや、カメラ本体の背面に配設された連写設定ボタン１３ｂ等の各種操作ボタンを備えている。レリーズボタン１３ａは、押下操作により撮影タイミングを指示するためのボタンである。連写設定ボタン１３ｂは、撮影モードにおいて、１回のレリーズボタン１３ａの操作で所定回数の連続撮影を行わせる連写モードに設定するためのボタンである。これらレリーズボタン１３ａ、連写設定ボタン１３ｂ等により操作部１３（図２参照）が構成されている。
【００１７】
また、デジタルカメラ１は、カメラ本体の背面の大半の領域を占める表示部１８を備えている。この表示部１８は、撮影画像やライブビュー画像の他に、連写タイミング設定用画面を含め、各種設定情報等を表示するためのものであり、ＬＣＤやＥＬＤ等の薄型表示装置で実現されている。また、デジタルカメラ１は、特に図示しないが、カメラ本体の前面側に撮影レンズ等の撮像光学系を備え、カメラ本体に内蔵の撮像素子に被写体像を結像可能に構成されている。
【００１８】
図２は、本実施の形態のデジタルカメラ１のシステム構成例を示すブロック図である。本実施の形態のデジタルカメラ１は、デジタルカメラ１を構成する各部に対する指示やデータ転送等を行い、デジタルカメラ１の動作を統括的に制御するためのＣＰＵからなる制御部１１を備える。また、デジタルカメラ１は、プログラムデータ記憶部１２、撮像部１５、ＳＤＲＡＭ１６、表示駆動部１７、画像処理部１９、圧縮伸長部２０、記録・再生部２１の各部を備える。これら各部は、制御部１１に対してバスライン３０によって接続されている。
【００１９】
プログラムデータ記憶部１２は、例えばフラッシュメモリ等の電気的に書換えが可能な不揮発性メモリである。このプログラムデータ記憶部１２は、デジタルカメラ１を動作させ、このデジタルカメラ１が備える種々の機能を実現するためのＣＰＵ用のプログラム（例えば、連写タイミング設定用プログラム）や、このプログラムの実行中に使用されるデータ、例えば、後述する連写タイミング設定用画面に表示させるタイミングチャート等のＧＵＩデータが予め格納されている。
【００２０】
また、このプログラムデータ記憶部１２には、連写タイミング設定用のテーブルが予め格納されている。図３は、プログラムデータ記憶部１２に格納された連写タイミング設定用のテーブル１２ａの一例を示す説明図である。このテーブル１２ａは、連写回数Ｎや後述するユーザ操作によるタイミングチャートの形状の大まかな変化パターンに応じた連続撮影の時点毎の時間間隔ｔｉ（ｉ＝１，２，・・・）が段階的に変化するように予め設定したものである。テーブル１２ａ中のＴは、連続撮影の全体時間を表わしている。すなわち、本実施の形態は、プロ仕様の厳密な時間間隔の設定を意図したものではなく一般ユーザ向けであるため、予め大まかな数種類の連写タイミングをテーブル１２ａに登録しておき、ユーザ操作に応じて該当する連写タイミングを選択して設定させるようにしている。
【００２１】
撮像部１５は、デジタルカメラ１が画像（被写体像）を撮像するためのものであり、カメラ部と撮像処理部とからなる。カメラ部は、デジタルカメラ１が被写体像を撮像するためのものであり、撮影レンズ、撮像素子、絞り、シャッタ、ＡＦ機構、ＡＦ駆動回路、ズーム機構、ズーム駆動機構等からなる。ここで、撮像素子は、例えばＣＣＤやＣＭＯＳセンサ等の２次元固体撮像素子からなり、撮影レンズを含む撮影光学系を通して入射する被写体像を光電変換し、アナログ電気信号として出力する。また、撮像処理部は、撮像素子駆動回路を含む他、撮像素子から出力されるアナログ電気信号に対してＡＧＣ、ＣＤＳ等のアナログ信号処理を施した後、Ａ／Ｄコンバータでデジタル電気信号に変換して出力させるためのものである。
【００２２】
ＳＤＲＡＭ１６は、一時記憶メモリやワーキングエリアとして利用されるメモリであり、撮像部１５から出力されるデジタル電気信号や、画像処理部１９による処理中の画像データ等を一時的に記憶する。このＳＤＲＡＭ１６は、後述の表示制御部１１ｂが表示画像を作成する際にも使用される。また、表示駆動部１７は、エンコーダやＤ／Ａコンバータ等を有して、後述の表示制御部１１ｂにより作成された表示画像、その他の各種情報を表示部１８に表示させるためのドライバである。
【００２３】
画像処理部１９は、撮像部１５から出力されるデジタル電気信号に対して画素補間処理、色補正処理、ガンマ処理等の各種の画像処理を施すとともに、記録用、表示用等に適した画像データに変換する処理を行う。圧縮伸長部２０は、撮影画像の画像データを画像記憶部２２に記録する際、あるいは画像記憶部２２に記録されている画像データを表示する際等において、周知のＪＰＥＧ方式等に基づく画像データの圧縮処理や伸長処理を行う。
【００２４】
記録・再生部２１は、画像記憶部２２に対する画像データの書き込みや画像記憶部２２からの画像データの読出しを行うためのものであり、画像記憶部２２の種類に応じたものが用いられる。ここで、画像記憶部２２は、例えばｘＤ−ピクチャーカード（登録商標）やコンパクトフラッシュ（登録商標）カード等のカメラ本体に着脱自在な記録媒体や、ＨＤＤである。
【００２５】
ここで、本実施の形態の制御部１１は、連写モード設定時に連写タイミング設定用プログラムにより実行される機能として、連写制御部１１ａと表示制御部１１ｂと操作検出部１１ｃとの各機能部を備える。操作検出部１１ｃは、連写モードにおいて表示部１８に表示されるタイミングチャートに対するユーザの操作を検出するための機能部である。また、本実施の形態では、表示部１８に重ねて配設されたタッチパネル１４を備えている。よって、操作検出部１１ｃは、このタッチパネル１４に対するユーザの直接的な操作や操作部１３に対するユーザの操作を検出することで、タイミングチャート等の連写タイミング設定用画面に対するユーザ操作の検出動作を実行する。
【００２６】
また、連写制御部１１ａは、撮像部１５による連続撮影を制御するための機能部である。この連写制御部１１ａは、詳細は後述するが、表示部１８に表示されたタイミングチャートに対するユーザ操作に応じて当該タイミングチャートの形状を変化させるように、当該操作に応じてタイミングチャートの形状を設定し、設定された当該タイミングチャートの形状に応じて連続撮影の時間間隔が段階的に変化するよう、当該時間間隔を一括して設定する機能を実行する。
【００２７】
また、表示制御部１１ｂは、表示部１８に表示させる画像を作成するための機能部である。すなわち、表示制御部１１ｂは、撮影モードにあってはライブビュー画像を作成し、再生モードにあっては再生画像を作成する他、特に本実施の形態にあっては、連写モード時には、撮像部１５に連続撮影を行わせる際の連写タイミングを設定するタイミングチャートを作成して表示駆動部１７によって表示部１８に表示させるためのものである。表示制御部１１ｂは、また、連写制御部１１ａにより一括して設定された時間間隔が表示されたタイミングチャート、すなわち確定後のタイミングチャートを作成して表示部１８に表示させる処理も実行する。
【００２８】
つぎに、連写設定ボタン１３ｂの操作により連写モードが設定された場合に、連写制御部１１ａ、表示制御部１１ｂおよび操作検出部１１ｃによる表示部１８の表示制御および操作例を説明する。図４は、連続撮影の連写タイミングを前半ほど少し短く設定する場合の表示例を模式的に示す説明図である。
【００２９】
まず、図４（ａ）は、連写設定ボタン１３ｂの操作により連写モードが設定された場合に表示部１８に表示される初期画面を示している。表示制御部１１ｂは、連写モードに設定された場合、表示部１８の画面上に、撮像部１５に連続撮影を行わせる際の連写タイミングを設定するタイミングチャート４１を表示させる。表示制御部１１ｂは、同時に、表示部１８の所定位置に設定された連続撮影の回数Ｎを示す回数表示欄４２ａ、連続撮影の全体時間Ｔを示す全体時間表示欄４３ａにそれぞれ初期値（デフォルト値）Ｎ＝５，Ｔ＝１０ｓを表示させる。
【００３０】
ここで、タイミングチャート４１は、コントロールライン４１ａと複数のタイミングマーク４１ｂとからなる。コントロールライン４１ａは、連写タイミングを設定する際の時間軸を表わすもので、表示部１８において中央下部側の位置で水平方向に延びた１本の紐状に表示される。タイミングマーク４１ｂは、連続撮影におけるそれぞれの撮影時点Ｎｏ１，Ｎｏ２，・・・を示すもので、コントロールライン４１ａに沿って連続撮影の時間間隔を示すように並べて配置させて表示される。図４（ａ）に示す初期画面においては、初期値Ｎ＝５，Ｔ＝１０ｓに従い、５個のタイミングマーク４１ｂがコントロールライン４１ａ上に均等に配置され、連写の時間間隔ｔが全てｔ（＝t０）＝２．５ｓ（秒）で同じとなるように設定されている。また、このようなタイミングチャート４１は、ユーザがタッチして操作することにより形状が変化するように変形可能に表示される。
【００３１】
図４（ｂ）は、図４（ａ）に示す初期画面において連続撮影の回数Ｎや全体時間Ｔを変更操作する場合の画面例を示している。すなわち、図４（ａ）に示す初期画面において、回数表示欄４２ａをユーザが指でタッチしたことが、タッチパネル１４、操作検出部１１ｃを通じて検出されると、表示制御部１１ｂは、表示部１８に回数メニュー４２を表示させる。これにより、連続撮影の回数ＮをＮ＝１０やＮ＝２０に変更設定可能となる。同様に、図４（ａ）に示す初期画面において、全体時間表示欄４３ａをユーザが指でタッチしたことが、タッチパネル１４、操作検出部１１ｃを通じて検出されると、表示制御部１１ｂは、表示部１８に時間メニュー４３を表示させる。これにより、連続撮影の全体時間ＴをＴ＝３０ｓ，Ｔ＝６０ｓ，Ｔ＝３ｍ（分），Ｔ＝６０ｍに変更設定可能となる。
【００３２】
図４（ｃ）（ｄ）は、ユーザが、コントロールライン４１ａの右端側を選択してタッチし、そのまま、コントロールライン４１ａに直交する上向き方向に少し持ち上げるような操作をした場合の設定操作画面を示している。まず、図４（ｃ）に示すように、ユーザが、コントロールライン４１ａ上の所望の位置を選択してタッチすると、タッチした位置がコントロールポイント４１ｃとして特定される。同時に、回数表示欄４２ａ、全体時間表示欄４３ａ（または、メニュー４２，４３）の表示が消去される。ここでは、初期値Ｎ＝５、Ｔ＝１０ｓの設定のままであるとする。そして、図４（ｄ）に示すように、ユーザが、選択したコントロールポイント４１ｃにタッチしたまま、上に少し持ち上げるようにドラッグ操作する。すると、連写制御部１１ａは、タイミングチャート４１（コントロールライン４１ａ）の形状をユーザ操作に応じて右上りに緩やかに傾斜して曲線状となるように変化させる。コントロールライン４１ａ上のタイミングマーク４１ｂは、このようなコントロールライン４１ａの形状の変化に応じて、持ち上げられたコントロールポイント４１ｃから緩やかに遠ざかるようにコントロールライン４１ａ上の位置がアニメーション的に変化する。すなわち、均等に配置されていたタイミングマーク４１ｂが、左側（前半）ほど間隔が詰まって不均等となるように移動する。
【００３３】
図４（ｅ）は、連写タイミングに関する設定が確定した画面を示している。図４（ｄ）に示したようなタッチ操作状態から、ユーザが、指を離すと、連写タイミングの設定操作が確定し、コントロールライン４１ａは、図４（ｅ）に示すような直線状態に戻る。すなわち、表示制御部１１ｂは、ユーザにより設定操作されて確定したタイミングチャート４１を直線状態に戻して表示部１８に表示させる。この際、タイミングマーク４１ｂの位置は、上記のユーザ操作によりコントロールライン４１ａ上で移動して連続撮影の時間間隔が段階的に変化して不均等になった状態が維持される。また、連写制御部１１ａは、指が離された時点（確定時）のコントロールポイント４１ｃの高さ位置に応じて連写タイミングの条件を設定する。この例では、連写制御部１１ａは、持ち上げ操作されたコントロールポイント４１ｃがあまり高くないことから、タイミングチャート４１の形状の変化のパターンが「右上り・弱」であると判定する。そして、テーブル１２ａを参照することで、連続撮影の時間間隔に関して、ｔ１＝０．１Ｔ，ｔ２＝０．１５Ｔ，ｔ３＝０．２Ｔ，ｔ４＝０．２５Ｔとして前半ほど連続撮影の時間間隔が短くなるように一括設定する。
【００３４】
したがって、Ｎ＝５，Ｔ＝１０ｓの場合であれば、ｔ１＝１ｓ，ｔ２＝１．５ｓ，ｔ３＝２ｓ，ｔ４＝２．５ｓとして設定される。なお、Ｎ＝５，Ｔ＝３０ｓの場合であれば、同じ設定操作であっても、ｔ１＝３ｓ，ｔ２＝４．５ｓ，ｔ３＝６ｓ，ｔ４＝７．５ｓの如く設定される。さらに、Ｎ＝１０，Ｔ＝１０ｓの場合であれば、テーブル１２ａ中のＮ＝１０の変化パターン「右上り・弱」に従い、ｔ１＝０．５ｓ，ｔ２＝０．６ｓ，・・・ｔ９＝１．３ｓの如く設定される。そして、実際の連続撮影時には、撮像部１５は、連写制御部１１ａによってこのような時間間隔に従い各撮影時点が制御される。
【００３５】
図５は、連続撮影の時間間隔を前半ほどより一層短く設定する場合の表示例を模式的に示す説明図である。本実施の形態では、ユーザが選択したコントロールポイント４１ｃを持ち上げ操作する高さ位置によって、撮影開始からのそれぞれの撮影時点を示すタイミングマーク４１ｂがコントロールポイント４１ｃから遠ざかる距離が変化するように設定されている。
【００３６】
そこで、図５（ａ）に示すように、コントロールライン４１ａの右端側をコントロールポイント４１ｃとしてタッチし、そのまま、図４（ｄ）の場合よりも高い位置まで持ち上げ操作する。すると、連写制御部１１ａは、タイミングチャート４１（コントロールライン４１ａ）の形状を操作に応じて右上りに急激に傾斜する曲線状に変化させる。コントロールライン４１ａ上のタイミングマーク４１ｂは、このようなコントロールライン４１ａの形状の変化に応じて、持ち上げられたコントロールポイント４１ｃから急激に遠ざかるようにコントロールライン４１ａ上の位置がアニメーション的に変化する。すなわち、均等に配置されていたタイミングマーク４１ｂが、左側ほどより一層間隔が詰まって不均等となるように移動する。
【００３７】
図５（ｂ）は、連写タイミングに関する設定が確定した画面を示している。図５（ａ）に示したようなタッチ操作状態から、ユーザが、指を離すと、連写タイミングの設定操作が確定し、コントロールライン４１ａは、図５（ｂ）に示すような直線状態に戻る。この際、タイミングマーク４１ｂの位置は、上記の操作によりコントロールライン４１ａ上で移動して連続撮影の時間間隔が段階的に変化して不均等になったままとなる。ここでは、連写制御部１１ａは、持ち上げ操作されたコントロールポイント４１ｃの位置が高いことから、タイミングチャート４１の形状の変化のパターンが「右上り・強」であると判定する。そして、テーブル１２ａを参照することで、連続撮影の時間間隔に関して、ｔ１＝０．０６Ｔ，ｔ２＝０．１Ｔ，ｔ３＝０．１５Ｔ，ｔ４＝０．２Ｔとして前半ほど連続撮影の時間間隔が短く、かつ、「右上り・弱」の場合よりもさらに短くなるように一括設定する。したがって、Ｎ＝５，Ｔ＝１０ｓの場合であれば、ｔ１＝０．６ｓ，ｔ２＝１．０ｓ，ｔ３＝１．５ｓ，ｔ４＝２．０ｓとして設定される。
【００３８】
図６は、連続撮影の時間間隔を後半ほど短く設定する場合の表示例を模式的に示す説明図である。この場合、図６（ａ）に示すようにコントロールライン４１ａの左端側をコントロールポイント４１ｃとして選択してタッチし、そのままコントロールライン４１ａに直交する上方向に持ち上げるように操作する。そして、コントロールポイント４１ｃから手を離すと、連写タイミングの設定操作が確定し、コントロールライン４１ａは、図６（ｂ）に示すような直線状態に戻る。これにより、連写制御部１１ａは、上述の場合と同様に、タイミングチャートの形状変化のパターンが「左上り・弱」であると判定する。そして、テーブル１２ａを参照することで、連続撮影の時間間隔に関して、ｔ１＝０．２５Ｔ，ｔ２＝０．２Ｔ，ｔ３＝０．１５Ｔ，ｔ４＝０．１Ｔとして後半ほど連続撮影の時間間隔が短くなるように一括設定する。したがって、Ｎ＝５，Ｔ＝１０ｓの場合であれば、ｔ１＝２．５ｓ，ｔ２＝２．０ｓ，ｔ３＝１．５ｓ，ｔ４＝１．０ｓとして設定される。
【００３９】
この場合も、コントロールポイント４１ｃの持ち上げ操作の高さを高くすれば、連写制御部１１ａは、タイミングチャートの形状変化のパターンが「左上り・強」であると判定し、テーブル１２ａを参照して、後半ほど連続撮影の時間間隔がより一層短くなるように一括設定する。
【００４０】
図７は、連続撮影の時間間隔を前半と後半とで短く設定する場合の表示例を模式的に示す説明図である。この場合、図７（ａ）に示すようにコントロールライン４１ａの中央部付近をコントロールポイント４１ｃとして選択してタッチし、そのまま図７（ｂ）に示すようにコントロールライン４１ａに直交する上方向に持ち上げるように操作する。すると、連写制御部１１ａは、タイミングチャート４１（コントロールライン４１ａ）の形状を操作に応じて中央部が高い山形状となって傾斜して曲線状となるように変化させる。コントロールライン４１ａ上のタイミングマーク４１ｂは、このようなコントロールライン４１ａの形状の変化に応じて、持ち上げられたコントロールポイント４１ｃから緩やかに遠ざかるようにコントロールライン４１ａ上の位置がアニメーション的に変化する。すなわち、均等に配置されていたタイミングマーク４１ｂが、前半および後半ほど間隔が詰まって不均等となるように移動する。
【００４１】
そして、コントロールポイント４１ｃから手を離すと、連写タイミングの設定操作が確定し、特に図示しないが、コントロールライン４１ａは直線状態に戻る。これにより、連写制御部１１ａは、タイミングチャートの形状変化のパターンが「中央上り」であると判定する。そして、テーブル１２ａを参照することで、連続撮影の時間間隔に関して、ｔ１＝０．１５Ｔ，ｔ２＝０．３Ｔ，ｔ３＝０．３Ｔ，ｔ４＝０．１５Ｔとして前半および後半ほど連続撮影の時間間隔が短くなるように一括設定する。したがって、Ｎ＝５，Ｔ＝１０ｓの場合であれば、ｔ１＝１．５ｓ，ｔ２＝３ｓ，ｔ３＝３ｓ，ｔ４＝１．５ｓとして設定される。
【００４２】
図８は、連続撮影の時間間隔を中央部が短くなるように設定する場合の表示例を模式的に示す説明図である。この場合、図８（ａ）に示すようにコントロールライン４１ａの中央部付近をコントロールポイント４１ｃとして選択してタッチし、そのまま図８（ｂ）に示すようにコントロールライン４１ａに直交する下方向に下げるように操作する。すると、連写制御部１１ａは、タイミングチャート４１（コントロールライン４１ａ）の形状を操作に応じて中央部が低い谷となって傾斜して曲線状となるように変化させる。コントロールライン４１ａ上のタイミングマーク４１ｂは、このようなコントロールライン４１ａの形状の変化に応じて、下げられたコントロールポイント４１ｃに向かって近づくようにコントロールライン４１ａ上の位置がアニメーション的に変化する。すなわち、均等に配置されていたタイミングマーク４１ｂが、中央部ほど間隔が詰まって不均等となるように移動する。
【００４３】
そして、コントロールポイント４１ｃから手を離すと、連写タイミングの設定操作が確定し、特に図示しないが、コントロールライン４１ａは直線状態に戻る。これにより、連写制御部１１ａは、タイミングチャートの形状変化のパターンが「中央下り」であると判定する。そして、テーブル１２ａを参照することで、連続撮影の時間間隔に関して、ｔ１＝０．３Ｔ，ｔ２＝０．１５Ｔ，ｔ３＝０．１５Ｔ，ｔ４＝０．３Ｔとして中央部ほど連続撮影の時間間隔が短くなるように一括設定する。したがって、Ｎ＝５，Ｔ＝１０ｓの場合であれば、ｔ１＝３ｓ，ｔ２＝１．５ｓ，ｔ３＝１．５ｓ，ｔ４＝３ｓとして設定される。
【００４４】
そして、これらの連写タイミングの設定内容に関して、設定前の均等な状態に戻すには、コントロールライン４１ａの端部をコントロールポイント４１ｃとして選択してタッチし、そのまま下方向に下げる操作を行い、手を離せばよい。
【００４５】
ところで、本実施の形態において、タイミングチャート４１の形状の変化は、上述したようなコントロールライン４１ａをこのコントロールライン４１ａに直交する方向（上下方向）へ操作することによる曲線状への変化だけでなく、コントロールライン４１を左右方向に操作することによる伸縮変形も含むものである。
【００４６】
例えば、図４（ｄ）に示した設定操作に引き続き、図９に示すように、コントロールポイント４１ｃにタッチしたまま左方向に水平移動させる（図９中、タイミングチャート４１´、コントロールポイント４１ｃ´は図４（ｄ）の状態を示している）。すると、連写制御部１１ａは、コントロールライン４１ａ全体を縮めるように形状を変化させる操作と認識する。そして、手を離すと、設定操作内容が確定する。すなわち、連写制御部１１ａは、コントロールライン４１ａ全体を縮めるように形状を変化させる操作に対応させて、タイミングチャート４１全体、したがって、図４（ｄ）の場合の時間間隔を全体的に短縮させるように設定する。例えば、Ｎ＝５，Ｔ＝１０ｓの場合には、ｔ１＝０．５ｓ，ｔ２＝０．８ｓ，ｔ３＝１．０ｓ，ｔ４＝１．３ｓの如く設定される。
【００４７】
また、初期状態や確定状態を問わず、図１０に示すように、直線状態のコントロールライン４１ａ上の所望の位置をコントロールポイント４１ｃとして選択してタッチし、その部分を左方向に水平移動させる。すると、連写制御部１１ａは、コントロールポイント４１ｃ部分に最も近いタイミングマーク４１ｂのみがその左側に位置するタイミングマーク４１ｃに近づくようにコントロールライン４１ａを部分的に縮めるように形状を変化させる操作と認識する。
【００４８】
そして、手を離すと、設定操作内容が確定する。すなわち、連写制御部１１ａは、コントロールライン４１ａを部分的に縮めるように形状を変化させる操作に対応させて、タイミングチャート４１の一部、図１０に示す場合であれば、時間間隔ｔ４のみを短縮させるように設定する。例えば、Ｎ＝５，Ｔ＝１０ｓの場合には、ｔ１＝０．６ｓ，ｔ２＝１．０ｓ，ｔ３＝１．５ｓ，ｔ４＝０．２ｓの如く設定される。なお、０．２ｓは、設定可能な最短の時間間隔である。この最短の時間間隔は、撮像部１５の性能によって決まる。
【００４９】
なお、図１０では、Ｎｏ５のタイミングマーク４１ｂ付近にタッチして時間間隔ｔ４を短縮させる例で説明したが、Ｎｏ１〜Ｎｏ４のいずれのタイミングマーク４１ｂ付近でコントロールライン４１ａにタッチすることで、他の時間間隔ｔ１〜ｔ３中の所望のものを短縮させるようにしてもよい。さらには、コントロールライン４１ａを延びる方向に変形操作することで、時間を延ばすようにしてもよい。
【００５０】
つづいて、このような連写タイミングの設定後の連続撮影実行中の表示部１８の表示例について説明する。図１１は、連写タイミングの設定後の連続撮影実行中の表示部１８の表示例を模式的に示す説明図である。ここでは、例えばＮ＝１０，Ｔ＝１０ｓの連写条件で、上記のような設定操作により、各撮影時点間の時間間隔が不均等に設定されているものとする。
【００５１】
まず、図１１（ａ）は、連写モードによる撮影が開始される際の表示部１８の表示画面を示している。ここでは、撮影開始に伴い、表示部１８の画面全体にライブビュー画像４４が表示されるとともに、ライブビュー画像４４上に重畳させてタイミングチャート４１が中央下部側に表示される。すなわち、表示制御部１１ｂは、上述のように設定された時間間隔が表示されたタイミングチャート４１を表示部１８に表示させる。この際、前述のＮ＝５の場合と異なりＮ＝１０で回数が多いので、タイミングチャート４１は、スペースの関係上、矩形枠形状のタイミングマーク４１ｂと小さい丸形状のサブタイミングマーク４１ｅとの組み合わせとして表示される。ここでは、タイミングマーク４１ｂが奇数番目に割り当てられ、サブタイミングマーク４１ｅが偶数番目に割り当てられている。また、Ｎ＝５の場合であれば、前述の場合と同様、矩形枠形状のタイミングマーク４１ｂのみをコントロールライン４１ａ上に不均等に配置させた表示となる。そして、これから撮影されるのが１枚目であることを示すため、先頭のタイミングマーク４１ｂに対して太枠で示すように連写インジケータ４１ｄを付加して表示させる。
【００５２】
図１１（ｂ）は、連続撮影の枚数が４枚目と５枚目との間まで進んだ場合の表示部１８の表示画面を示している。したがって、連写インジケータ４１ｄは、４枚目と５枚目のサブタイミングマーク４１ｅ、タイミングマーク４１ｂの位置に移動して表示される。また、撮影済みの１枚目と３枚目の撮影画像に関しては、該当するタイミングマーク４１ｂの大きさを少し大きくさせることで、撮影画像のサムネイル４１ｆとして表示される。
【００５３】
図１１（ｃ）は、連続撮影が終了した場合の表示部１８の表示画面を示している。したがって、連写インジケータ４１ｄは、最終１０枚目のサブタイミングマーク４１ｅの位置に移動して表示される。また、撮影済みの１，３，５，７，９枚目のそれぞれの撮影画像が、該当するタイミングマーク４１ｂの大きさを少し大きくさせることで、撮影画像のサムネイル４１ｆとして表示される。
【００５４】
つづいて、上述したような表示制御および設定操作を実現するための制御部１１による動作制御例について説明する。図１２は、制御部１１により実行される連写タイミング設定処理を含む撮影モード時の動作制御例を示す概略フローチャートである。本実施の形態で対象とする連写タイミング設定処理は、撮影モードにおいて連写設定ボタン１３ｂによって連写モードが指定されることにより実行される。
【００５５】
まず、撮影モードが開始されると、表示制御部１１ｂは、表示部１８にライブビュー画像を表示させる（ステップＳ１１）。そして、連写モードに設定されているか否かを操作検出部１１ｃの検出出力により判定する（ステップＳ１２）。連写モードに設定されていない場合には（ステップＳ１２：Ｎｏ）、通常の撮影モードであり、レリーズボタン１３ａが押されたか否かを判定する（ステップＳ１３）。押されていなければ（ステップＳ１３：Ｎｏ）、押されるまで待機する。そして、レリーズボタン１３ａが押されると（ステップＳ１３：Ｙｅｓ）、通常通り、撮影・記録処理を行う（ステップＳ１４）。その後、図示しない電源スイッチがオフされ、または、モード切替がなされると（ステップＳ１５：Ｙｅｓ）、撮影モードの処理を終了するが、電源スイッチがオフされておらず、かつ、モード切替がなされていなければ（ステップＳ１５：Ｎｏ）、ステップＳ１１に戻る。
【００５６】
一方、連写設定ボタン１３ｂにより連写モードに設定されている場合には（ステップＳ１２：Ｙｅｓ）、表示制御部１１ｂは、撮像部１５に連続撮影を行わせる際の連写タイミングを設定するためのタイミングチャート４１を表示部１８に表示させる（ステップＳ２１）。図４（ａ）に示した初期状態のタイミングチャート４１の表示が相当する。
【００５７】
その後、連写制御部１１ａは、操作検出部１１ｃの検出出力を監視することで、表示部１８に表示されているタイミングチャート４１のコントロールライン４１ａ（タイミングマーク４１ｂ部分を含む）に対してユーザによりタッチ操作がなされたか否かを判定する（ステップＳ２２）。タッチ操作がなされていない場合には（ステップＳ２２：Ｎｏ）、タッチ操作されるまで待機する。
【００５８】
そこで、コントロールライン４１ａに対するタッチ操作がなされると（ステップＳ２２：Ｙｅｓ）、連写制御部１１ａは、タッチされた位置をコントロールポイント４１ｃとして表示する（ステップＳ２３）。図４（ｃ）、図７（ａ）、図８（ａ）等に示す表示状態が相当する。そして、ユーザ操作に伴うタッチされたままのコントロールポイント４１ｃの移動位置を認識する。連写制御部１１ａは、認識されたコントロールポイント４１ｃの移動位置に応じてタイミングチャート４１の形状を変形させて表示部１８に表示させる（ステップＳ２４）。このときのタイミングチャート４１の形状の変化パターンは、前述したように、ユーザ操作に応じて変わるものである。すなわち、図４（ｄ）、図５（ａ）、図６（ａ）、図７（ａ）、図８（ａ）、図９、図１０にそれぞれ示すように各種表示状態となる。いずれにしても、連写制御部１１ａは、タイミングチャート４１に対するユーザ操作に応じてこのタイミングチャート４１の形状を変化させるように、ユーザ操作に応じてタイミングチャート４１の形状を設定する。
【００５９】
そして、操作していたコントロールポイント４１ｃから指が離されたか否かを操作検出部１１ｃの検出出力に基づき判定する（ステップＳ２５）。指が離されていない場合には（ステップＳ２５：Ｎｏ）、ステップＳ２４に戻り、ユーザ操作に応じたタイミングチャート４１を表示させる。特に、図９のような操作設定の場合が相当する。
【００６０】
指が離れた場合には（ステップＳ２５：Ｙｅｓ）、表示制御部１１ｂは、確定したタイミングチャート４１を表示部１８に表示させる（ステップＳ２６）。すなわち、図４（ｅ）、図５（ｂ）、図６（ｂ）等の表示が相当する。また、連写制御部１１ａは、指が離された時点のコントロールポイント４１ｃの位置に応じて、タイミングチャート４１の変化パターンを特定し、テーブル１２ａを参照することで、連写条件として、連続撮影の撮影時点間の時間間隔を設定する（ステップＳ２７）。
【００６１】
そして、レリーズボタン１３ａが操作されたか否かを操作検出部１１ｃの検出出力に基づき判定する（ステップＳ２８）。レリーズボタン１３ａが操作されていなければ（ステップＳ２８：Ｎｏ）、連写タイミングを設定するための時間間隔の設定変更が可能であり、ステップＳ２２に戻る。特に、図１０のような操作設定の場合が相当する。
【００６２】
レリーズボタン１３ａが操作された場合には（ステップＳ２８：Ｙｅｓ）、連写モードによる撮影動作を開始させ（ステップＳ２９）、１枚目から順に撮影し画像記憶部２２に記録させる（ステップＳ３０）。そして、設定された回数分の最後まで連写動作が進行したかを判定する（ステップＳ３１）。最後まで進行していれば（ステップＳ３１：Ｙｅｓ）、ステップＳ１２に戻る。最後まで進行していなければ（ステップＳ３１：Ｎｏ）、図示しない電源スイッチがオフされ、または、モード切替がなされたかを判定する（ステップＳ３２）。電源スイッチがオフされておらず、かつ、モード切替がなされていなければ（ステップＳ３２：Ｎｏ）、表示部１８にライブビュー画像４４とともに表示されている確定済みのタイミングチャート４１の連写インジケータ４１ｄの位置を移動させることで進行表示させる（ステップＳ３３）。また、撮影済みの撮影画像に関しては、サムネイル画像を該当するタイミングポイント４１ｂ部分にサムネイル４１ｆとして表示させる。そして、設定された連続撮影の時間間隔に従い、次の撮影タイミングに達したか否かを判定する（ステップＳ３４）。達していなければ（ステップＳ３４：Ｎｏ）、ステップＳ３２に戻り、達した場合には（ステップＳ３４：Ｙｅｓ）、ステップＳ３０に移行して次の撮影を行い画像記憶部２２に記録させる。
【００６３】
図１３は、上述したようなタイミングチャート４１を利用した連続撮影で得られた画像の再生表示例を示す図である。まず、図１３（ａ）は、上記連続撮影で得られた画像のスライドショーの表示例を示す図である。すなわち、上記で作成されたタイミングチャート４１により連続撮影が実行され、この連続撮影で得られた撮影画像を、連続して再生する場合（スライドショー）の表示例である。表示部１８に再生画像４５が表示されるともに、画面の下部にこの連続撮影で使用されたタイミングチャート４１が併せて表示される。ここで表示されるタイミングチャートは、図１１に示したタイミングチャートと同様に、タイミングマーク４１ｂとサブタイミングマーク４１ｅとを含むタイミングチャート４１であるが、具体的な表現はこれに限定されるものではない。スライドショーが実行されると、再生画像４５は撮影順に一定間隔で切換えられて表示される。そして、下部に表示されるタイミングチャート４１では、現に再生されている画像の位置にカーソル４１ｇ（ここでは太枠）が示される。つまり、スライドショーの時間経過とともにこのカーソル４１ｇが右方向に進行していく。
【００６４】
本実施の形態による連続撮影の時間間隔は、一定間隔ではないので、後で再生してみる場合に時間間隔の目安がないと不便な場合がある。この点、図１３に示すように、連続撮影された画像を再生する場合に、元になったタイミングチャート４１を併せて表示することで、撮影者は現在見ている画像がどのタイミングで撮影されたものかを簡単に把握できるようになる。
【００６５】
また、図１３（ｂ）は、連続撮影画像を含む画像のインデックス表示例を示す図である。表示部１８には、例えば画像番号１８から画像番号２９までの１２個のサムネイル画像４６が表示されている。そして、連続撮影された画像番号２０から２６までの７画像について、１組の連写画像であることを示す表示が付加される。図示例では、画像番号２０から２６までのサムネイル画像を、コントロールライン４１ａを模した太線４７でつないで表示する。このように表示することで、インデックス画像の表示時にも、１組の連続撮影に属するサムネイル画像が簡単に識別できる。
【００６６】
このように、本実施の形態によれば、撮像部１５に連続撮影を行わせる際の連写タイミングを設定するタイミングチャート４１を表示部１８に表示させる表示制御部１１ｂと、表示部１８に表示されたタイミングチャート４１に対する操作を検出する操作検出部１１ｃと、連続撮影をタイミングチャート４１に基づいて制御する連写制御部１１ａとを備え、連写制御部１１ａは、タイミングチャート４１に対する操作に応じて当該タイミングチャート４１の形状を変化させるように、当該操作に応じてタイミングチャート４１の形状を設定し、設定された当該タイミングチャート４１の形状に応じて連続撮影の時間間隔が段階的に変化するよう、当該時間間隔を一括して設定するようにしたので、ユーザは、表示部１８に表示されたタイミングチャートを操作してその形状を変化させるだけで、連続撮影の連写タイミングに関して、異なる時間間隔を簡単に設定することができる。また、確定したタイミングチャート４１も表示部１８に表示されるので、設定された連写タイミングを確認しながら、連続撮影を行うことができる。
【００６７】
特に、表示部１８に重ねて配設されたタッチパネル１４を備えるので、表示部１８に表示されたタイミングチャート４１に直接タッチして操作することができ、連続撮影の連写タイミングに関する設定の操作性を向上させることができる。
【００６８】
また、タイミングチャート４１が、連続撮影の時間軸を表わすコントロールライン４１ａを含み、このコントロールライン４１ａに交差する方向への操作によりタイミングチャート４１の形状を曲線状に変化させて表示させ、当該曲線の傾きに応じて連続撮影の時間間隔を設定するようにしたので、連続撮影の時間間隔の設定操作に際して段階的に変化する時間間隔を視覚的に把握しやすく、設定の操作性をより一層向上させることができる。特に、タイミングチャート４１として、連続撮影の時間軸を表わすコントロールライン４１ａとこのコントロールライン４１ａに沿って連続撮影の時間間隔を示すよう並べて配置される複数のタイミングマーク４１ｂとを含むことで、例えば水平に展開された数珠紐を曲線状に変形操作させることで数珠玉を傾斜に沿って低い方に移動させる如くイメージでタイミングマーク４１ｂを移動させて段階的に変化する時間間隔の設定を行うことができ、感覚的にわかりやすく、設定操作性をより一層向上させることができる。
【００６９】
また、タイミングチャート４１の変化する各形状に対応する連続撮影の時間間隔のパターンが予め記憶されたテーブル１２ａに基づき、このタイミングチャート４１の変化した形状に応じた連続撮影の時間間隔を一括して設定するようにしたので、本発明の意図するユーザ操作に応じた大まかな時間間隔の設定を極めて簡単に行わせることができる。
【００７０】
本発明は、上述した実施の形態に限らず、本発明の趣旨を逸脱しない範囲であれば、種々の変形が可能であり、それらを本発明の範囲から排除するものではない。
【００７１】
例えば、本実施の形態では、コントロールライン４１ａの端部を上方に持ち上げるように操作させることで、低い方の端部側の連続撮影の時間間隔が狭まるようにしたが、逆に、コントロールライン４１ａの端部を下方に下げるように操作させることで、当該操作で低くなる端部側（操作側）の連続撮影の時間間隔が狭まるようにしてもよい。この場合には、本実施の形態の場合とは逆に、コントロールライン４１ａの端部を持ち上げる操作を、初期設定状態への復帰に利用するようにすればよい。
【００７２】
また、本実施の形態では、例えば、図１２に示すような各処理機能について、図２に示すブロック図では、表示制御等については制御部１１によるソフトウェアによって処理するように説明したが、構成の具体例はこれに限るものではない。これらの処理を、ハードウェア処理とソフトウェア処理のいずれか一方あるいは適宜組み合わせて行なうことは設計事項である。
【００７３】
そして、実施の形態の全てあるいは一部がソフトウェア処理で処理が実行される場合には、制御部１１がフラッシュメモリ等のプログラムデータ記憶部１２に格納された連写タイミング設定用プログラムを読み出して実行されることで、かかるソフトウェア処理が実現されるので、このようなソフトウェア処理に関する検索用プログラムも本発明となる。また、このような連写タイミング設定用プログラムが記録された記録媒体も本発明となる。なお、プログラムを格納する記録媒体としては、フラッシュメモリに限定されるものではなく、ＣＤ−ＲＯＭ、ＤＶＤ−ＲＯＭ等の光学記録媒体、ＭＤ等の磁気記録媒体、テープ媒体、ＩＣカードなどの半導体メモリであってもよい。さらに、連写タイミング設定用プログラムとしては、ネットワークを介して外部の記録媒体から入手されるもの、例えば、ホームページからダウンロードされるものも当然含まれる。このような場合には、ユーザに対してダウンロードさせるＷＷＷサーバやｆｔｐサーバ等も本発明の範囲に含まれるものである。
【００７４】
また、本実施の形態のカメラは、パソコンのカメラ部や携帯電話のカメラ部等に適用してもよい。
【図面の簡単な説明】
【００７５】
【図１】本発明の実施の形態のデジタルカメラの概略構成例を示す背面図である。
【図２】本実施の形態のデジタルカメラのシステム構成例を示すブロック図である。
【図３】連写タイミング設定用のテーブルの一例を示す説明図である。
【図４】連続撮影の時間間隔を前半ほど少し短く設定する場合の表示例を模式的に示す説明図である。
【図５】連続撮影の時間間隔を前半ほどより一層短く設定する場合の表示例を模式的に示す説明図である。
【図６】連続撮影の時間間隔を後半ほど短く設定する場合の表示例を模式的に示す説明図である。
【図７】連続撮影の時間間隔を前半と後半とで短く設定する場合の表示例を模式的に示す説明図である。
【図８】連続撮影の時間間隔を中央部が短くなるように設定する場合の表示例を模式的に示す説明図である。
【図９】時間間隔を全体的に縮めるように設定する場合の表示例を模式的に示す説明図である。
【図１０】時間間隔を部分的に縮めるように設定する場合の表示例を模式的に示す説明図である。
【図１１】連写タイミングの設定後の連続撮影実行中の表示部の表示例を模式的に示す説明図である。
【図１２】連写タイミング設定処理を含む撮影モード時の動作制御例を示す概略フローチャートである。
【図１３】タイミングチャートを利用した連続撮影で得られた画像の再生表示例を示す図である。
【符号の説明】
【００７６】
１  デジタルカメラ
１１ａ  連写制御部
１１ｂ  表示制御部
１１ｃ  操作検出部
１２ａ  テーブル
１４  タッチパネル
１５  撮像部
１８  表示部
４１  タイミングチャート
４１ａ  コントロールライン
４１ｂ  タイミングマーク
４１ｃ  コントロールポイント
【図１】
2010141582.tif 000003
【図２】
2010141582.tif 000004
【図３】
2010141582.tif 000005
【図４】
2010141582.tif 000006
【図５】
2010141582.tif 000007
【図６】
2010141582.tif 000008
【図７】
2010141582.tif 000009
【図８】
2010141582.tif 000010
【図９】
2010141582.tif 000011
【図１０】
2010141582.tif 000012
【図１１】
2010141582.tif 000013
【図１２】
2010141582.tif 000014
【図１３】
2010141582.tif 000015